(57)【特許請求の範囲】
【請求項１】
複数の第１の無線基地局の少なくとも一つを介して無線端末と通信を行なう第１の無線通信ネットワークと、前記第１の無線通信ネットワークに接続され、前記無線端末に対して情報を提供可能な情報提供手段と、前記第１の無線通信ネットワークよりも広い通信エリアを持ち、複数の第２の無線基地局の少なくとも一つを介して前記無線端末と通信を行なう第２の無線通信ネットワークと、前記無線端末からの前記情報提供手段に対する情報提供要求を、前記第２の無線基地局を介して受信して前記情報提供手段に転送する第１の通信制御手段と、該情報提供要求のあった情報を、前記情報提供手段から前記第１の無線通信ネットワーク上の前記第１の無線基地局を介して、前記無線端末へ送信する第２の通信制御手段と、前記第１の無線通信ネットワークに接続され、前記情報提供手段から前記無線端末への送信情報を一時的に蓄積可能な蓄積手段とを備え、
前記無線端末は、前記情報提供手段からの情報を受信する必要が生じた場合に限り、前記第２の無線基地局を介して前記第１の無線通信ネットワークに関する自局のアドレス登録を行い、その後、前記情報提供手段に対する情報提供要求を前記第２の無線基地局を介して送信し、
前記第１の無線基地局は、該無線基地局固有の識別情報を前記無線端末へ報知する手段を有し、
前記第２の通信制御手段は、前記無線端末が前記識別情報を受信したことを示す前記無線端末からの応答を受信した後に前記第１の無線基地局を介して前記蓄積手段に蓄積された前記情報を前記無線端末に転送し、
前記無線端末は、前記情報提供手段から該無線端末への送信情報を蓄積する前記蓄積手段のアドレス情報を前記情報提供手段に送信するアドレス送信手段を有し、
前記情報提供手段は、前記無線端末から送信された前記アドレス情報に基づいて、特定の前記蓄積手段へ前記無線端末宛の送信情報を転送することを特徴とする無線通信システム。
【請求項２】
複数の第１の無線基地局の少なくとも一つを介して無線端末と通信を行なう第１の無線通信ネットワークと、前記第１の無線通信ネットワークに接続され、前記無線端末に対して情報を提供可能な情報提供手段と、前記第１の無線通信ネットワークよりも広い通信エリアを持ち、複数の第２の無線基地局の少なくとも一つを介して前記無線端末と通信を行なう第２の無線通信ネットワークと、前記無線端末からの前記情報提供手段に対する情報提供要求を、前記第２の無線基地局を介して受信して前記情報提供手段に転送する第１の通信制御手段と、該情報提供要求のあった情報を、前記情報提供手段から前記第１の無線通信ネットワーク上の前記第１の無線基地局を介して、前記無線端末へ送信する第２の通信制御手段と、前記第１の無線通信ネットワークと前記第２の無線通信ネットワーク間で双方向に情報を送受する複数の接続手段と、前記複数の接続手段のうち、前記無線端末が前記第１の無線通信ネットワークとの間で通信を行う場合に、アクセスすべき前記接続手段の識別情報を前記第２の無線基地局を介して前記無線端末に通知するアクセス先通知手段とを備え、
前記無線端末は、前記情報提供手段からの情報を受信する必要が生じた場合に限り、前記第２の無線基地局を介して前記第１の無線通信ネットワークに関する自局のアドレス登録を行い、その後、前記情報提供手段に対する情報提供要求を前記第２の無線基地局を介して送信することを特徴とする無線通信システム。
【発明の詳細な説明】
【０００１】
【発明の属する技術分野】
本発明は、上り方向の通信速度と下り方向の通信速度が異なる非対称な無線通信システムに関し、特に、２種類の異なるネットワークとの間で通信を行う無線通信システムに関する。
【０００２】
【従来の技術】
次世代マルチメディア無線通信システムとして、大量の情報を高速に伝送可能な無線通信システムが提案されている。これらの中で、上りの伝送速度が低速で、下りの伝送速度が高速の上下非対称のシステムが注目されている。例えば、ＰＨＳ（Ｐｅｒｓｏｎａｌ  Ｈａｎｄｙ−ｐｈｏｎｅ  Ｓｙｓｔｅｍ）網に高速ダウンリンク通信路を付加して情報提供サービスを行う無線通信システムが提案されている。
【０００３】
図１８はこの種の従来の無線通信システムの概略構成を示す図である。図１８のシステムでは、利用者は無線端末５１を利用して情報蓄積サーバ５２にアクセスし、所望の情報をサーバ５２から無線端末５１にダウンロードするものである。
【０００４】
サーバ５２は、情報を高速に伝送可能なＭＭＡＣ（Ｍｕｌｔｉｍｅｄｉａ  Ｍｏｂｉｌｅ  Ａｃｃｅｓｓ  Ｃｏｍｍｕｎｉｃａｔｉｏｎ）網５３に接続されており、ＭＭＡＣ網５３には複数のＭＭＡＣ基地局５４が接続されている。これらＭＭＡＣ基地局５４は、無線端末５１に対して情報を高速に送信することができる。
【０００５】
ＭＭＡＣ網５３には、中継局５５を介してＰＨＳ網５６が接続されており、このＰＨＳ網５６には複数のＰＨＳ基地局５７が接続されている。ＰＨＳ基地局５７は、無線端末５１との間で、低速ながらも双方向に情報を送受信することができる。例えば、ＰＨＳ基地局５７と無線端末５１との間の伝送速度は３２ｋｂｐｓであり、ＭＭＡＣ基地局５４から無線端末５１への情報送信速度は１０Ｍｂｐｓ程度である。
【０００６】
この種の無線通信システムでは、システムを構築した当初は、利用者の多い場所、例えば、鉄道駅周辺、繁華街周辺および空港等にＭＭＡＣ基地局５４を設置する。設置されたＭＭＡＣ基地局５４のサービスエリアはそれほど広くはない。一方、ＰＨＳ基地局５７は、すでに数多く設置されており、そのサービスエリアは、ＭＭＡＣ基地局５４のサービスエリアよりも広い。
【０００７】
この種の無線通信システムにおける通信方式として、デュアルモード方式とハイブリッド方式がある。デュアルモード方式では、無線端末５１はＭＭＡＣサービスエリア内ではＭＭＡＣ基地局５４と双方向の高速な通信を行い、ＭＭＡＣサービスエリア外ではＰＨＳ基地局５７と双方向の低速な通信を行う。一方、ハイブリッド方式では、無線端末５１の小型軽量化と低価格化等を図るために、無線端末５１はＭＭＡＣサービスエリア内ではＰＨＳ基地局５７に対して低速な送信を行うとともに、ＭＭＡＣ基地局５４から高速な受信を行い、ＭＭＡＣサービスエリア外ではＰＨＳ基地局５７と双方向の低速な通信を行う。
【０００８】
この種の無線通信システムにおいて、無線端末５１がハイブリッド方式でＭＭＡＣ網５３に接続されたサーバ５２に情報の送信を要求する場合、無線端末５１からサーバ５２へのアップリンク通信路は、ＰＨＳ基地局５７、ＰＨＳ網５６、中継局５５およびＭＭＡＣ網５３を介して設定される。これに対して、サーバ５２から無線端末５１へのダウンリンク通信路は、ＭＭＡＣ網５３とＭＭＡＣ基地局５４を介して設定される。このようなアップリンクとダウンリンクの各通信路の設定により、サーバ５２は、画像情報や音声情報等を含む、大量の情報を短時間で無線端末５１に送信できるようになる。
【０００９】
無線通信システムを利用したマルチメディアサービスは、無線端末５１での大容量の情報の受信が中心になると考えられ、ＰＨＳ等の既存の無線通信システムに高速送信可能な新たなシステムを付加することにより、大部分のマルチメディアサービスを無線端末５１に提供可能になる。
【００１０】
また、既存の無線端末５１を利用してマルチメディアサービスの提供を受けられるようにすることで、無線端末５１の低コスト化、低消費電力化および小型化を図ることができる。さらに、無線通信システムを新たに導入した初期段階では、サービスエリアが局所的になることが予想されるが、既存の無線通信システムを併用することにより、低速ではあるが、広い範囲でサービスを提供することができる。
【００１１】
【発明が解決しようとする課題】
しかしながら、上述したハイブリッド方式とデュアルモード方式のいずれを採用する場合でも、無線端末５１は、ＰＨＳ網５６と通信するための通信回路と、ＭＭＡＣ網と通信するための通信回路とを備える必要があり、各通信回路にそれぞれ電源電圧を供給しなければならないため、無線端末の消費電力が増えるという問題がある。
【００１２】
また、ＭＭＡＣ網５３に接続されたサーバ５２が無線端末５１に情報を送信しようとしたときに、送信要求を受けた無線端末５１がＭＭＡＣのサービスエリア内にいない場合があり、無線端末５１がサーバ５２からの情報を正常に受け取れないおそれがあった。
【００１３】
本発明は、このような点に鑑みてなされたものであり、その目的は、無線端末の消費電力を低減でき、かつ、システム構成を複雑にすることなく第１および第２のネットワークと無線端末との間で効率的かつ安定に通信を行うことができる無線通信システム、無線基地局、移動端末、および通信制御方法を提供することにある。
【００１４】
【課題を解決するための手段】
上述した課題を解決するために、本発明の無線通信システムは複数の第１の無線基地局の少なくとも一つを介して無線端末と通信を行なう第１の無線通信ネットワークと、前記第１の無線通信ネットワークに接続され、前記無線端末に対して情報を提供可能な情報提供手段と、前記第１の無線通信ネットワークよりも広い通信エリアを持ち、複数の第２の無線基地局の少なくとも一つを介して前記無線端末と通信を行なう第２の無線通信ネットワークと、前記無線端末からの前記情報提供手段に対する情報提供要求を前記第２の無線基地局を介して受信して前記情報提供手段に転送する第１の通信制御手段と、該情報提供要求のあった情報を、前記情報提供手段から前記第１の無線通信ネットワーク上の前記第１の無線基地局を介して、前記無線端末へ送信する第２の通信制御手段とを備え、前記無線端末は、前記情報提供手段からの情報を受信する必要が生じた場合に限り、前記第２の無線基地局を介して前記第１の無線通信ネットワークに関する自局のアドレス登録を行い、その後、前記情報提供手段に対する情報提供要求を前記第２の無線基地局を介して送信することを特徴とするものである。
【００１５】
これによれば、無線端末からの情報提供手段に対する情報提供要求を、第２の無線通信ネットワークを介して無線端末に送信するため、第１の無線通信ネットワークと無線端末との間にアップリンク通信路を設定する必要がない。
【００１６】
また、本発明の端末局装置は第１の無線通信ネットワークに接続された複数の第１の無線基地局の少なくとも一つから情報を受信する第１の通信手段と、前記第１の無線通信ネットワークよりも広い通信エリアを持つ第２の無線通信ネットワークに接続された複数の第２の無線基地局の少なくとも一つと、前記受信手段で受信する通信回線の通信速度より遅い通信速度で情報の送受信を行なう第２の通信手段と、自無線端末のメイン電源スイッチがオンの間は、前記第２の通信手段に常時電源電圧を供給し、前記第１の無線基地局の通信圏内に位置し、かつ前記第１の無線基地局を介して情報を受信する必要が生じた場合のみ、前記第１の通信手段に電源電圧を供給する電源制御手段と、前記第１の無線基地局の通信圏内に位置し、かつ前記第１の無線基地局を介して情報を受信する必要が生じた場合のみ、前記第１の無線通信ネットワークに関する自局のアドレス登録を行う位置登録制御手段とを備え、前記第１の通信手段は、前記位置登録制御手段の位置登録が終わった後に情報を受信することを特徴とするものである。
【００１７】
また、本発明の無線通信制御方法は複数の第１の無線基地局の少なくとも一つを介して無線端末と通信を行なう第１の無線通信ネットワークと、前記第１の無線通信ネットワークに接続され、前記無線端末に対して情報を提供可能な情報提供手段と、前記第１の無線通信ネットワークよりも広い通信エリアを持ち、複数の第２の無線基地局の少なくとも一つを介して前記無線端末と通信を行なう第２の無線通信ネットワークと、を具備した無線通信システムの無線通信制御方法であって、前記無線端末が前記情報提供手段に対して情報提供要求を行う場合に限り、前記第１の無線基地局に対して前記無線端末のアドレス登録を行う第1のステップと、前記第１の無線通信ネットワークに関する位置登録を行った前記無線端末からの前記情報提供手段に対する情報提供要求を、前記第２の無線基地局を介して受信して前記情報提供手段に転送する第2のステップと、該情報提供要求のあった情報を前記情報提供手段から前記第１の無線通信ネットワーク上の前記第１の無線基地局を介して前記無線端末へ送信する第3のステップとを具備することを特徴とするものである。
【００１８】
【発明の実施の形態】
以下、本発明に係る無線通信システム、無線基地局、および通信制御方法について、図面を参照しながら具体的に説明する。
【００１９】
（第１の実施形態）
図１は本発明に係る無線通信システムの第１の実施形態のブロック図である。図１の無線通信システムは、地理的に狭い範囲で移動端末に対して移動通信サービスを提供するＭＭＡＣ網（第１の無線通信ネットワーク）１と、ＭＭＡＣ網１よりも地理的に広い範囲で移動端末に対して移動通信サービスを提供するＰＨＳ網（第２の無線通信ネットワーク）２とを有する。
【００２０】
以下では、ＭＭＡＣ網１がモバイルＩＰを利用する場合について説明する。ここで、モバイルＩＰとは、移動端末が通信中に移動してサブネットが変化しても、上位のプロトコルが切断されないようにしたものであり、ｈｔｔｐ：／／ｗｗｗ．ｉｅｔｆ．ｏｒｇ／ｒｆｃ／ｒｆｃ２００２．ｔｘｔにＲＦＣ（Ｒｅｑｕｅｓｔ  Ｆｏｒ  Ｃｏｍｍｅｎｔｓ）として記載されている。
【００２１】
モバイルＩＰでは、各移動端末を識別するためにＩＰアドレスを一意に割り当てる。割り当てたＩＰアドレスは、各移動端末が移動しても変化しない。
【００２２】
図１のＭＭＡＣ網１には、移動端末（ＰＳ：Ｐｅｒｓｏｎａｌ  Ｓｔａｔｉｏｎ）３に対して高速に情報を送信可能な無線基地局（ＡＰ：Ａｃｃｅｓｓ  Ｐｏｉｎｔ）４が少なくとも一つ以上接続されている。ＡＰ４は、第２の通信制御手段に対応する。
【００２３】
この他、ＭＭＡＣ網１には、ＰＳ３に対して各種の情報を提供するサーバ（ＳＶ：Ｓｅｒｖｅｒ）５と、情報を送信可能なＰＳ３のＩＰアドレスを保持するＦＡ（Ｆｏｒｅｉｇｎ  Ａｇｅｎｔ）６と、ＰＳ３へのダウンリンクとアップリンクを統合するＨＲ（Ｈｙｂｒｉｄ  Ｒｏｕｔｅｒ）７と、ＰＳ３宛の情報を一時的に格納する蓄積装置（ＤＳ：Ｄａｔａ  Ｓｔｏｒａｇｅ）８と、ＰＳ３のＩＰアドレスとＦＡ６のＩＰアドレスとの対応関係を保持するＨＡ（Ｈｏｍｅ  Ａｇｅｎｔ）９とが接続されている。ＨＡ９は、自身が管理するＰＳ３に対して、どのＦＡ６を介して情報を送信できるかを把握する。ＨＡ９は、識別子変換手段に対応する。なお、ＤＳ８は必須の構成ではない。
【００２４】
一方、ＰＨＳ網２には、ＰＳ３と双方向の通信を行う無線基地局（ＣＳ：Ｃｅｌｌ  Ｓｔａｔｉｏｎ）１０が少なくとも一つ以上接続されている。
【００２５】
これらＭＭＡＣ網１とＰＨＳ網２は、ＨＡＳ（Ｈｙｂｒｉｄ  Ａｃｃｅｓｓ  Ｓｅｒｖｅｒ）１１により接続されている。ＨＡＳ１１は、第１の通信制御手段に対応する。なお、図１では、２つのＨＡＳ１１を図示しているが、ＨＡＳ１１の数には特に制限はない。
【００２６】
図２はＰＳ３の内部構成を示す図である。ＰＳ３の内部には、図２に示すように、ＭＭＡＣ網１と通信を行うためのＭＭＡＣ通信回路（第１の無線通信回路）２１と、ＰＨＳ網２と通信を行うためのＰＨＳ通信回路（第２の無線通信回路、アドレス送信手段）２２と、ＭＭＡＣ通信回路２１およびＰＨＳ通信回路２２を管理制御する通信制御部２３と、ＭＭＡＣ網１およびＰＨＳ網２に対する位置登録の制御を行う位置登録処理部２４とを有する。
【００２７】
ＰＨＳ通信回路２２はＰＨＳ網２との間で送受信を行い、ＭＭＡＣ通信回路２１はＭＭＡＣ網１からの受信のみを行う。
【００２８】
ＰＳ３のメイン電源スイッチをオンにすると、自動的にＰＨＳ通信回路２２に電源電圧が供給されてＣＳ１０との間で交信を行う。これに対して、ＭＭＡＣ通信回路２１には通常は電源電圧は供給されておらず、ＭＭＡＣ網１と通信を行う必要が生じた場合のみＭＭＡＣ通信回路２１に電源電圧が供給される。これにより、ＰＳ３の消費電力を低減できるとともに、無線周波数の有効利用が図れる。
【００２９】
図３は第１の実施形態の動作を示す図であり、ＳＶ５がＰＳ３に対して通信要求を行う場合の動作を示している。図３の縦軸は時間軸である。以下、図３に基づいて第１の実施形態の動作を説明する。
【００３０】
まず、時刻Ｔ１において、ＳＶ５はＨＡ９に対してＰＳ３宛ての情報（ＩＰパケット）を送信する。なお、ＳＶ５は、ＰＳ３宛てのＩＰパケットを送信する代わりに、ＰＳ３のＩＰアドレスを指定して、該ＰＳ３に対して通信要求を行ってもよい。
【００３１】
いずれの場合も、ＨＡ９は、ＰＳ３への通信要求が生じたことを認識すると、ＭＭＡＣ網１を介して該ＰＳ３に情報を送信するために使用される該ＰＳ３に固定的に割り当てられたＩＰアドレスから、ＰＨＳ網２を介して該ＰＳ３への通信路を確立するために使用される該ＰＳ３のＰＨＳ電話番号への変換を行う。なお、この変換は、ＨＡ９以外の装置で行ってもよい。
【００３２】
ここで、ＨＡ９は、ＰＳ３の電話番号を直接利用して、該ＰＳ３に対して通信要求があった旨を通知してもよいが、図１に示すようにＨＡ９がＰＨＳ網２に直接接続されていない場合には、ＨＡ９はＭＭＡＣ網１とＰＨＳ網２の双方に接続されている適当なＨＡＳ１１に対して、ＰＳ３のＰＨＳ電話番号を指定して、該ＰＳ３に対して通信要求があった旨を該ＰＳ３に通知するように要求する。
【００３３】
この時点まで、ＰＳ３は、図２に示すＭＭＡＣ通信回路２１には電源電圧を供給しない。ＰＳ３は、ＳＶ５からＨＡＳ１１とＰＨＳ網２を介して、通信の要求があった旨の通知を受けると、ＭＭＡＣ通信回路２１に電源電圧を供給して、ＡＰ４からの電波を受信可能にする。
【００３４】
ＡＰ４は、自己のＩＤを常時報知（ブロードキャスト）しており、図３の時刻Ｔ２でＰＳ３がＡＰ４の識別子（ＩＤ）を受信すると、時刻Ｔ３にて、ＰＳ３はＨＡＳ１１に対してＰＩＡＦＳ（ＰＨＳ  Ｉｎｔｅｒｎｅｔ  Ａｃｃｅｓｓ  Ｆｏｒｕｍ  Ｓｔａｎｄａｒｄ）接続を行う。
【００３５】
その後、時刻Ｔ４にて、ＰＳ３はＨＡＳ１１に対してＬＣＰの接続要求を行う。ＬＣＰは、データリンクの確立とユーザー認証を行うプロトコルである。その後、時刻Ｔ５にて、ＨＡＳ１１からＰＳ３に対してＬＣＰの接続応答があると、時刻Ｔ６にて、ＰＳ３はＨＡＳ１１に対してＩＰＣＰ（Ｉｎｔｅｒｎｅｔ  Ｐｒｏｔｏｃｏｌ  Ｃｏｎｔｒｏｌ  Ｐｒｏｔｏｃｏｌ）の接続要求を行う。ＩＰＣＰは、送受信者のＩＰアドレスや圧縮方式を決定するプロトコルである。
【００３６】
その後、時刻Ｔ７にて、ＨＡＳ１１からＰＳ３に対してＩＰＣＰの接続応答があると、ＰＳ３は、ＰＨＳ網２を介してＨＡＳ１１に対して位置登録（ケアオブアドレスの登録）を開始する。なお、図３は、ＰＰＰ（Ｐｏｉｎｔ  ｔｏ  Ｐｏｉｎｔ  Ｐｒｏｔｏｃｏｌ）によりＨＡＳ１１に接続する例を示している。
【００３７】
具体的には、まず、時刻Ｔ８にて、ＰＳ３はＦＡ６にアクセスし、該ＰＳ３自身のＩＰアドレスを該ＦＡ６に登録する。該ＦＡ６は、該ＰＳ３を管理しているＨＡ９にアクセスし、該ＰＳ３のＩＰアドレスと該ＦＡ６自身のＩＰアドレスを通知し、該ＰＳ３への情報を該ＦＡ６経由で送信可能である旨を通知する。なお、該ＰＳ３は、該ＰＳ３への情報を転送すべきＦＡ６をＨＡ９に直接通知することも可能である。
【００３８】
ＰＳ３の位置登録が完了すると、該ＰＳ３は、必要に応じて各種の制御情報の送受信を行う。例えば、図３の時刻Ｔ９において、ＰＳ３は、ＣＳ１０、ＨＡＳ１１、およびＨＲ７を介して、ＡＰ４に対してリンクチャネルの確立を要求する。この要求を受けて、ＡＰ４はＰＳ３に対してリンクチャネルが確立された旨の応答を行う（時刻Ｔ１０）。これにより、ＰＳ３とＡＰ４との間に無線回線が設定される（時刻Ｔ１１）。
【００３９】
その後、ＡＰ４は、ＨＲ７を介してＦＡ６に対して無線チャネルが確立した旨を通知する（時刻Ｔ１２）。この通知を受けてＦＡ６は、ＩＰパケットをＡＰ４に対して送信する（時刻Ｔ１３）。ＩＰパケットの送信を受けたＡＰ４は、このＩＰパケットをＰＳ３に対して送信する（時刻Ｔ１４）。
【００４０】
以上の手続きを経て、ＰＳ３とＳＶ５との間での通信が可能になる。例えば、ハイブリッド方式で通信を行う場合、ＰＳ３は、ＣＳ１０、ＰＨＳ網２、ＨＡＳ１１、およびＨＲ７を介して、ＳＶ５に対して情報を送信する。一方、ＳＶ５は、ＰＨＳ網を介することなく、ＨＡ９、ＦＡ６、ＨＲ７、およびＡＰ４を介して、ＰＳ３に対して情報を送信する。
【００４１】
このように、第１の実施形態では、ＭＭＡＣ網１に接続されたＳＶ５からＰＳ３に対して情報を送信する場合に、ＰＳ３への情報送信要求をＰＨＳ網２を介してＰＳ３に送信するため、ＰＳ３は、その送信要求を受けるまでは、ＭＭＡＣ通信回路２１に電源電圧を供給する必要がなく、ＰＳ３の消費電力を低減できる。また、ＳＶ５からの情報は、ＰＨＳ網２を介さずにＭＭＡＣ網１から直接高速にＰＳ３に送信されるため、ＰＳ３は短時間で大量の情報を受信できる。
【００４２】
さらに、ＰＳ３のＭＭＡＣ網１への位置登録は、ＰＨＳ網２を介して行うため、ＰＳ３とＭＭＡＣ網１に接続されたＡＰ４との間にアップリンク通信路を設定する必要がなく、システム構成を簡略化できる。
【００４３】
また、ＭＭＡＣ網１に接続されたＨＡ９にてＩＰアドレスとＰＨＳ電話番号との変換を行うため、ＳＶ５はＰＳ３のＰＨＳ電話番号を把握しておく必要がなく、ＰＳ３に対応するＩＰアドレスを指定するだけで、ＰＨＳ網２を経由してＰＳ３に情報送信要求を通知できる。したがって、ＳＶ５の処理負担が軽減する。
【００４４】
（第２の実施形態）
第２の実施形態は、第１の実施形態とは逆に、ＰＳ３からＳＶ５に対して情報の送信を要求するものである。
【００４５】
図４は第２の実施形態の動作を示す図であり、ＰＳ３からＳＶ５に対してハイブリッド方式で接続を行う場合の動作を示している。
【００４６】
まず、ＰＳ３は、ＡＰ４が常時報知しているＡＰ４の識別子（ＩＤ）を受信する（時刻Ｔ２２）。ＰＳ３は、ＡＰ４の識別子の受信を定期的に行ってもよいが、代わりに、ＣＳ１０の報知情報を定期的に受信し、ＣＳ１０がＭＭＡＣのサービスエリアである旨を報知したのをＰＳ３が受信したとき（時刻Ｔ２１）に、図２に示すＭＭＡＣ通信回路２１に電源電圧を供給して、ＡＰ４の識別子の受信動作を開始してもよい。これにより、ＰＳ３の消費電力を低減できる。
【００４７】
ＰＳ３は、ＳＶ５に対して通信要求が生じると、ＰＨＳ網２を介してＨＡＳ１１に対してＰＰＰ（Ｐｏｉｎｔ−ｔｏ−Ｐｏｉｎｔ  Ｐｒｏｔｏｃｏｌ）で接続した後、ＭＭＡＣ網１への位置登録を開始する。具体的には、図３と同様に、ＨＡＳ１１に対してＰＩＡＦＳ接続を行った後（時刻Ｔ２３）、ＬＣＰとＩＰＣＰの接続設定を行う（時刻Ｔ２４〜Ｔ２７）。
【００４８】
その後、ＰＳ３はＦＡ６にアクセスして、ＰＳ３自身のＩＰアドレスをＦＡ６に登録する。ＦＡ６は、ＰＳ３を管理しているＨＡ９にアクセスし、ＰＳ３のＩＰアドレスとＦＡ６自身のＩＰアドレスを通知する。これにより、ＨＡ９は、ＦＡ６経由でＰＳ３に情報を送信できることを認識する。なお、ＰＳ３は、該ＰＳ３に情報を送信すべきＦＡ６を、ＨＡ９に直接通知してもよい。
【００４９】
以上の手順でＰＳ３の位置登録が完了すると、ＰＳ３は必要に応じて各種の制御情報の送受信を行った後（時刻Ｔ２９〜Ｔ３１）、ＰＳ３とＳＶ５との間での通信が可能になる。
【００５０】
図４はＰＳ３とＳＶ５との間でハイブリッド方式で通信を行う例を示している。この場合、ＰＳ３からの要求は、ＣＳ１０、ＰＨＳ網２、ＨＡＳ１１、およびＨＲ７を介してＳＶ５に送信され、ＳＶ５からの情報は、ＨＡ９、ＦＡ６、ＨＲ７、およびＡＰ４を介してＰＳ３に送信される（時刻Ｔ３２）。
【００５１】
このように、第２の実施形態では、ＰＳ３からＳＶ５に対して情報の送信を要求する場合に、ＰＳ３からの送信要求をＰＨＳ網２を介してＳＶ５に送信するとともに、ＭＭＡＣ網１への位置登録を行うため、位置登録前、すなわち、ＳＶ５に対して情報の送信を要求する前はＰＳ３内のＭＭＡＣ通信回路２１に電源電圧を供給しなくて済み、ＰＳ３の消費電力を低減できる。また、ＳＶ５からの情報はＭＭＡＣ網１から直接ＰＳ３に送信されるため、ＰＳ３はＳＶ５からの情報を高速に受信できる。
【００５２】
（第３の実施形態）
第３の実施形態は、第１の実施形態と同様に、ＳＶ５から特定のＰＳ３に対して情報の送信要求を行うものであり、ＰＳ３宛ての情報を一時的にＳＶ５に蓄積するとともに、ＳＶ５のＩＰアドレスをＰＨＳ網２を介してＰＳ３に通知し、ＰＳ３がＭＭＡＣサービスエリアに入ると、ＰＳ３がＳＶ５にアクセスしてＰＳ３宛ての情報を受信するものである。
【００５３】
図５は第３の実施形態の動作を示す図であり、ＳＶ５がＰＳ３に対して通信要求を行う場合の動作を示している。まず、ＰＳ３に対する通信要求の生じたＳＶ５は、ＨＡ９に対して該ＰＳ３のＩＰアドレスを指定し、ＰＳ３に対する着信通知を送信する（時刻Ｔ４１）。それと同時に、ＳＶ５はＰＳ３宛ての情報を一時的に蓄積する。なお、ＰＳ３宛ての情報をＳＶ５の内部に蓄積する代わりに、他の蓄積装置、例えば図１に示すＤＳ８に蓄積してもよい。ＰＳ３宛ての情報をＳＶ５以外の蓄積装置に蓄積した場合は、蓄積装置のＩＰアドレス等の識別子を、上述した着信通知と併せてＨＡ９に送信する。
【００５４】
以下では、ＰＳ３宛ての情報をＳＶ５の内部に蓄積し、ＳＶ５のＩＰアドレスを上述した着信通知と併せてＨＡ９に送信する例について説明する。
【００５５】
ＨＡ９は、ＳＶ５からＰＳ３への通信要求が生じたことを認識すると、ＭＭＡＣ網１を介してＰＳ３に情報を送信するのに使用されるＰＳ３のＩＰアドレスを、ＰＨＳ網２を介してＰＳ３への通信路を確立するために使用されるＰＳ３のＰＨＳ電話番号に変換する。なお、この変換は、ＨＡ９以外の装置で行ってもよい。
【００５６】
ＰＳ３は、ＳＶ５からの通信要求がある旨の通知を受けても、ＭＭＡＣのサービスエリア外にある場合は、直ちにはＳＶ５へのアクセスを行う必要はない。例えば、ＰＳ３がＭＭＡＣのサービスエリア内にいる旨の通知をＣＳ１０から受けた場合に、ＰＳ３内のＭＭＡＣ通信回路２１に電源電圧を供給して、ＡＰ４が報知しているＡＰ４自身の識別子（ＩＤ）を受信する（時刻Ｔ４３）。
【００５７】
その後、ＰＳ３は所定の通信制御を行った後（時刻Ｔ４４〜Ｔ４８）、ＨＡ９への位置登録を開始する（時刻Ｔ４９）。
【００５８】
位置登録が完了すると、ＰＳ３は必要に応じて各種の制御情報の送受信を行い（時刻Ｔ５０〜Ｔ５２）、ＰＳ３宛ての情報を蓄積しているＳＶ５に接続し、ＰＳ３はＳＶ５との通信が可能になる。なお、位置登録は、ＰＳ３が各種の制御情報の送受信を完了した後に行ってもよい。
【００５９】
図５はＰＳ３とＳＶ５との間でハイブリッド方式で通信を行う例を示している。この場合、ＰＳ３は、ＣＳ１０、ＰＨＳ網２、ＨＡＳ１１、およびＨＲ７を介してＳＶ５に対して情報を送信し、ＳＶ５は、ＰＨＳ網２を介することなく、ＨＡ９、ＦＡ６、ＨＲ７、およびＡＰ４を介してＰＳ３に対して情報を送信する（時刻Ｔ５３）。
【００６０】
このように、第３の実施形態も、第１の実施形態と同様に、ＰＳ３がＳＶ５と通信を行う直前にＭＭＡＣの位置登録を行うため、通信を行わないときはＰＳ３内のＭＭＡＣ通信回路２１に電源電圧を供給しなくて済み、ＰＳ３の消費電力を低減できる。また、ＳＶ５からＰＳ３への通信要求が生じた時点で、ＰＳ３がＭＭＡＣのサービスエリア外に存在する場合には、ＭＭＡＣ網１内にＰＳ３宛ての情報を一時蓄積するようにしたため、ＳＶ５の情報送信時にＰＳ３が情報を受信できない場合でも、後で確実に受信でき、情報の取りこぼしが起きない。
【００６１】
（第４の実施形態）
第３の実施形態では、ＰＳ３がＭＭＡＣ網１との間で高速受信のみを行う、いわゆるハイブリッド方式について説明したが、以下に説明する第４の実施形態は、ＰＳ３がＭＭＡＣ網１との間で送受信を行う、いわゆるデュアルモード方式の通信を行うものである。
【００６２】
図６はＰＳ３とＳＶ５との間でデュアルモード方式で通信を行う場合の動作を示す図である。この場合、ＰＳ３はＡＰ４からＡＰ４自身の識別子（ＩＤ）を受信すると（時刻Ｔ６３）、ＰＨＳ網２を介さずに直接ＡＰ４との間で制御信号をやり取りして（時刻Ｔ６４〜Ｔ６６）、ＰＳ３の位置登録を行う（時刻Ｔ６７）。位置登録が完了すると、ＰＳ３とＡＰ４との間での通信が可能になる。
【００６３】
ＰＳ３とＳＶ５との間でデュアルモード方式で通信を行う場合は、ＰＳ３は、ＡＰ４およびＭＭＡＣ網１を介してＳＶ５に対して情報の送信を行い、ＳＶ５は、ＨＡ９、ＦＡ６、およびＡＰ４を介してＰＳ３に対して情報の送信を行う。
【００６４】
このように、ＰＳ３がＳＶ５との間でデュアルモード方式で通信を行う場合でも、通信を行う直前にＭＭＡＣ網１にＰＳ３の位置登録を行うため、通信を行わないときはＭＭＡＣ通信回路２１に電源電圧を供給する必要がなく、ＰＳ３の消費電力を低減できる。また、ＰＳ３がＳＶ５に情報を送信する場合も、ＰＨＳ網２を介さずにＡＰ４経由で情報を送信するため、高速にＳＶ５に情報を送信できる。
【００６５】
（第５の実施形態）
第５の実施形態は、ＳＶ５からＰＳ３に宛てた情報をＤＳ８に一時的に蓄積するものである。
【００６６】
図７は第５の実施形態の動作を示す図であり、ＳＶ５からＰＳ３に情報を送信する場合の動作、特に、着信通知を受けたＰＳ３が、ＭＭＡＣのサービスエリア外にいるなどでＳＶ５からの情報を受信できない場合に、ＰＳ３宛ての情報を一時的に蓄積する蓄積装置（ＤＳ８）のＩＰアドレスを、ＰＨＳ網２経由でＰＳ３に通知し、ＰＳ３がＭＭＡＣサービスエリア内に入った後にＤＳ８にアクセスしてＰＳ３宛ての情報を受信する場合の動作例を示している。
【００６７】
ＳＶ５は、特定のＰＳ３に対する通信要求を、該ＰＳ３のＩＰアドレスを指定してＨＡ９に送信する。ＨＡ９は、該ＰＳ３への通信要求が生じたことを認識すると、ＭＭＡＣ網１を介してＰＳ３に情報を送信するために使用されるＰＳ３のＩＰアドレスから、ＰＨＳ網２を介してＰＳ３への通信路を確立するために使用されるＰＳ３のＰＨＳ電話番号への変換を行う（時刻Ｔ８１）。
【００６８】
ＰＳ３は、通信要求がある旨の通知を受けても、ＭＭＡＣのサービスエリア外にいる場合は、ＳＶ５に直ちにアクセスせず、ＰＳ３宛ての情報を一時的に蓄積するＤＳ８のアドレス情報を、ＰＨＳ網２を介してＨＡＳ１１に送信する（時刻Ｔ８２）。すなわち、この実施形態では、ＳＶ５からの情報を一時的に蓄積するＤＳ８の種類やＤＳ８内の蓄積場所（以下、ＤＳ８のアドレス情報と呼ぶ）をＰＳ３が指定することを特徴とする。
【００６９】
ＳＶ５はＤＳ８のアドレス情報をＰＳ３から通知されると、ＰＳ３宛ての情報を、指定されたＤＳ８、あるいは指定されたＤＳ８内の蓄積場所に蓄積する。
【００７０】
ＰＳ３は、ＣＳＩＯからの報告によりＭＭＡＣのサービスエリア内に入ったことを認識すると（時刻Ｔ８３）、ＰＨＳ網２への接続を行った後（時刻Ｔ８５〜Ｔ８９）、ＰＳ３内のＭＭＡＣ通信回路２１に電源電圧を供給して位置登録を開始する（時刻Ｔ９０）。
【００７１】
位置登録が完了すると、ＰＳ３は必要に応じて各種の制御信号の送受信を行う（時刻Ｔ９１〜Ｔ９３）。これにより、ＰＳ３とＤＳ８との間での通信が可能になる。
【００７２】
図７はＰＳ３とＤＳ８との間でハイブリッド方式で通信を行う例を示している。この場合、ＰＳ３はＣＳ１０、ＰＨＳ網２、ＨＡＳ１１、ＭＭＡＣ網１およびＨＲ７を介してＤＳ８に情報を送信し、ＤＳ８はＨＡ９、ＦＡ６、ＨＲ７、およびＡＰ４を介してＰＳ３に情報を送信する（時刻Ｔ９４）。
【００７３】
このように、第５の実施形態は、ＳＶ５から送信された情報を一時的に蓄積するＤＳ８のアドレス情報をＰＳ３が指定するようにしたため、ＳＶ５からの情報をＰＳ３が直ちに受信できない場合でも、受信できる準備が整ったときに確実に受信でき、情報の取りこぼしが起きない。また、第１〜第４の実施形態と同様に、ＰＳ３がＤＳ８との間で通信を行う要求が生じた場合のみ、ＰＳ３内のＭＭＡＣ通信回路２１に電源電圧を供給すればよいため、ＰＳ３の消費電力を低減できる。
【００７４】
（第６の実施形態）
第１〜第５の実施形態では、ＭＭＡＣ網１がモバイルＩＰを利用する例について説明したが、ＭＭＡＣ網１を回線交換的に利用してもよい。
【００７５】
図８は本発明に係る無線通信システムの第６の実施形態のブロック図である。図８のＭＭＡＣ網１は、電話番号などからなるＭＭＡＣ識別子を用いて回線交換的に通信を行う。ＭＭＡＣ網１には、ＦＡ６やＨＡ９の代わりに、ＭＭＡＣ識別子とＰＨＳ電話番号との変換を行うアドレス変換器（ＡＴ：Ａｄｄｒｅｓｓ  Ｔｒａｓｌａｔｏｒ）３１と、ＰＳ３の位置情報を管理する位置レジスタ（ＬＲ：Ｌｏｃａｔｉｏｎ  Ｒｅｇｉｓｔｅｒ）３２とが接続されている。
【００７６】
図９は第６の実施形態の動作を示す図であり、ＳＶ５からＰＳ３に通信要求を行う場合の動作を示している。
【００７７】
ＰＳ３は、ＣＳが報知（ブロードキャスト）するＭＭＡＣのサービスエリアである旨の情報を受信する（時刻Ｔ１０１）。その後、ＳＶ５は、ＰＳ３のＭＭＡＣ識別子（例えば、ＭＭＡＣ網１での電話番号）を指定して、該ＰＳ３への通信要求をＡＴ３１に対して行う（時刻Ｔ１０２）。ＡＴ３１は、ＰＳ３への通信要求が生じたことを認識すると、ＭＭＡＣ網１を介してＰＳ３へ情報送信を行うのに利用されるＰＳ３のＭＭＡＣ識別子から、ＰＨＳ網２を介してＰＳ３へ情報送信を行うのに利用されるＰＨＳ電話番号への変換を行う。
【００７８】
ＡＴ３１が直接ＰＳ３の電話番号を指定できる場合は、その電話番号を指定してＰＳ３に対して通信の要求を行ってもよい。一方、ＡＴ３１がＰＨＳ網２に接続されていない場合、ＡＴ３１は適当なＨＡＳ１１に対して、該ＰＳ３のＰＨＳ電話番号を指定して、該ＰＳ３に対して通信要求があった旨を通知する。
【００７９】
ＰＳ３は、ＳＶ５から通信要求があった旨の通知を受け、かつ、ＡＰ４が報知（ブロードキャスト）したＡＰ４自身の識別子（ＩＤ）を受信すると（時刻Ｔ１０３）、ＰＨＳ網２への接続を行った後（時刻Ｔ１０４〜Ｔ１０８）、必要に応じて各種の制御情報の送受信を行う（時刻Ｔ１０９〜Ｔ１１１）。このとき、ＰＳ３は、ＭＭＡＣ網１への位置登録も行う（時刻Ｔ１１２）。
【００８０】
ＰＳ３の位置登録が完了すると、ＡＰ４からＡＴ３１に対して無線チャネルが確立された旨が通知され（時刻Ｔ１１３）、ＡＴ３１からＳＶ５に対してＰＳ３との通信が可能である旨が通知される（時刻Ｔ１１４）。これにより、ＰＳ３とＳＶ５との間での通信が可能になる。
【００８１】
例えば、ＰＳ３とＳＶ５との間でハイブリッド方式で通信を行う場合は、ＰＳ３は、ＣＳ１０、ＰＨＳ網２、ＨＡＳ１１、およびＨＲ７を介してＳＶ５に情報の送信を行う。また、ＳＶ５は、ＰＨＳ網２を介することなく、ＨＲ７およびＡＰ４を介してＰＳ３に情報の送信を行う。
【００８２】
このように、第６の実施形態は、ＭＭＡＣ網１を回線交換的に利用する場合でも、ＳＶ５からの通信要求をＰＨＳ網２を介してＰＳ３に送信でき、また、ＳＶ５からの情報はＰＨＳ網２を介さずにＭＭＡＣ網１から直接ＰＳ３に高速送信することができる。また、第１〜第５の実施形態と同様に、ＰＳ３がＳＶ５との間で通信を行う要求が生じた場合のみ、ＰＳ３内のＭＭＡＣ通信回路２１に電源電圧を供給すればよいため、ＰＳ３の消費電力を低減できる。
【００８３】
（第７の実施形態）
第７の実施形態は、第６の実施形態の変形例であり、ＳＶ５からＰＳ３に送るべき情報を一時的に蓄積するＤＳ８を設けたものである。
【００８４】
図１０は本発明に係る無線通信システムの第７の実施形態のブロック図である。図１０の無線通信システムは、ＬＲ３２を持たない点とＤＳ８を設けた点を除いて図８の無線通信システムと同じである。なお、ＬＲ３２を設けてもよい。
【００８５】
図１１は第７の実施形態の動作を示す図であり、ＳＶ５からＰＳ３に通信要求を行う場合の動作を示している。
【００８６】
ＳＶ５は、ＰＳ３への通信要求をＡＴ３１に送信するとともに、該ＰＳ３に送信すべき情報をＤＳ８に一時的に蓄積する（時刻Ｔ１２２）。また、ＡＴ３１は、ＣＳ１０を介して該ＰＳ３に対して、ＳＶ５から通信要求があった旨を通知する。
【００８７】
その後、ＰＳ３がＡＰ４からのＡＰ４自身の識別子（ＩＤ）を受信すると、ＰＳ３はＰＨＳ網２に接続して各種制御情報の設定を行い、設定が終了すると、ＰＳ３とＡＰ４との間での通信が可能になる。
【００８８】
なお、図１１ではＰＳ３のＭＭＡＣ網１への位置登録を行う処理を省略している。これは、位置登録を行わなくても、ＳＶ５からＰＳ３に情報を送信できるためである。
【００８９】
ＰＳ３とＡＰ４との間でハイブリッド方式で通信を行う場合は、ＰＳ３は、ＣＳ１０、ＰＨＳ網２、ＨＡＳ１１、およびＨＲ７を介してＤＳ８に情報の送信を行う。また、ＤＳ８は、ＨＲ７およびＡＰ４を介してＰＳ３に情報の送信を行う。
【００９０】
このように、第７の実施形態は、ＳＶ５からＰＳ３への送信情報を一時的にＤＳ８に蓄積するため、ＳＶ５からＰＳ３への送信要求があった場合にＰＳ３がＭＭＡＣサービスエリア内にいなくても、後でＤＳ８からＰＳ３に情報を送信できる。また、ＭＭＡＣ網１に対してＰＳ３の位置登録を行わずにＳＶ５からＰＳ３に情報を送信するため、通信制御を簡略化することができる。また、第１〜第６の実施形態と同様に、ＰＳ３がＭＭＡＣのサービスエリア内にいる場合のみ、ＰＳ３内のＭＭＡＣ通信回路２１に電源電圧を供給すればよいため、ＰＳ３の消費電力を低減できる。
【００９１】
（第８の実施形態）
第８の実施形態は、第７の実施形態の変形例であり、ＳＶ５からＰＳ３に宛てた情報を一時的に蓄積するＤＳ８の種類やＤＳ８内の蓄積場所をＰＳ３が指定するものである。
【００９２】
第８の実施形態は、第７の実施形態と同様の構成を有するため、ブロック図を省略する。
【００９３】
図１２は第８の実施形態の動作を示す図であり、着信通知を受けたＰＳ３がＭＭＡＣのサービスエリア外にいるなどでＳＶ５からの情報を受信できない場合の動作例を示している。
【００９４】
ＳＶ５は、特定のＰＳ３に対する通信要求を、該ＰＳ３のＩＰアドレスを指定してＡＴ３１に送信する。ＡＴ３１は、該ＰＳ３への通信要求が生じたことを認識すると、ＭＭＡＣ網１を介してＰＳ３に情報を送信するために使用されるＰＳ３のＩＰアドレスから、ＰＨＳ網２を介してＰＳ３への通信路を確立するために使用されるＰＳ３のＰＨＳ電話番号への変換を行う。
【００９５】
ＰＳ３は、通信要求がある旨の通知を受けても、ＭＭＡＣのサービスエリア外にいる場合は、ＳＶ５に直ちにアクセスせず、ＰＳ３宛ての情報を一時的に蓄積する蓄積装置（ＤＳ８）のＭＭＡＣ識別子をＰＨＳ網２を介してＳＶ５に通知する（時刻Ｔ１４３）。この通知を受けて、ＳＶ５は、指定されたＤＳ８、またはＤＳ８内の指定された蓄積場所にＰＳ３宛ての情報を一時的に蓄積する。
【００９６】
ＰＳ３は、ＭＭＡＣのサービスエリア内に入ったことを認識すると（時刻Ｔ１４４）、ＰＨＳ網２への接続を行った後（時刻Ｔ１４５〜Ｔ１４９）、必要に応じて各種の制御信号の送受信を行う（時刻Ｔ１５０〜Ｔ１５２）。これにより、ＰＳ３とＤＳ８との間での通信が可能になる。
【００９７】
このように、第８の実施形態は、ＳＶ５から送信された情報を一時的に蓄積するＤＳ８の種類やＤＳ８内の蓄積場所をＰＳ３が指定するようにしたため、ＳＶ５からの送信情報をＰＳ３がすぐには受信できない場合でも、受信できる準備が整ったときに確実にダウンロードでき、ダウンロードを目的として何度もＭＭＡＣ網１にアクセスする必要がなくなる。
【００９８】
また、第１〜第７の実施形態と同様に、ＰＳ３がＭＭＡＣのサービスエリア内にいる場合のみ、ＰＳ３内のＭＭＡＣ通信回路２１に電源電圧を供給すればよいため、ＰＳ３の消費電力を低減できる。
【００９９】
（第９の実施形態）
第９の実施形態は、ＭＭＡＣ網１に接続されたＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバがＰＳ３等のＩＰアドレスを動的に割り当てるものである。
【０１００】
第９の実施形態における無線通信システムは、図８や図１０と同様のブロック構成を有するため、ブロック図を省略する。ＨＡＳ１１の内部には、ＩＰアドレスを付与するＤＨＣＰサーバが設けられており、ＰＳ３のＩＰアドレスはＤＨＣＰサーバにより動的に割り当てられる。
【０１０１】
図１３は第９の実施形態の動作を示す図である。ＨＡＳ１１以外にＤＨＣＰサーバの機能を持たせてもよく、また、ＨＡＳ１１を複数設けて、そのいずれかにＤＨＣＰサーバの機能を持たせてもよい。
【０１０２】
ＰＳ３がＳＶ５からの通信要求を受信して（時刻Ｔ１６２）、ＡＰ４からのＡＰ４自身の識別子（ＩＤ）を受信すると（時刻Ｔ１６３）、ＰＳ３はＣＳ１０を介してＨＡＳ１１に対してＰＩＡＦＳ接続を行い（時刻Ｔ１６４）、ＬＣＰ接続要求を行う（時刻Ｔ１６５）。ＨＡＳ１１からＰＳ３にＬＣＰ接続応答があると（時刻Ｔ１６６）、次に、ＰＳ３は、ＨＡＳ１１に対してＩＰアドレスの割り当て要求を行い（時刻Ｔ１６７）、ＨＡＳ１１からＰＳ３にＩＰアドレスの割り当て応答があると（時刻Ｔ１６８）、ＰＳ３はＡＰ４にリンクチャネルの確立要求を行う（時刻Ｔ１６９）。次に、ＡＰ４からＰＳ３にリンクチャネルの確立応答があると（時刻Ｔ１７０）、ＰＳ３とＡＰ４との間に無線回線を接続し（時刻Ｔ１７１）、ＰＳ３はＡＴ３１に対して位置登録を行う（時刻Ｔ１７２）。すなわち、ＰＳ３はＡＴ３１に対してＩＰアドレスの登録を行う。
【０１０３】
ＡＴ３１は、ＰＳ３のＭＭＡＣ識別子、ＰＨＳ電話番号、およびＩＰアドレスの対応関係を保持する。また、ＡＴ３１は、ＳＶ５に対してＰＳ３のＩＰアドレスを通知し、ハイブリッド接続が完了したことをＳＶ５に通知する。これにより、ＰＳ３とＳＶ５との間での通信が可能になる。
【０１０４】
例えば、ハイブリッド方式で通信を行う場合は、ＰＳ３は、ＣＳ１０、ＰＨＳ網２、ＨＡＳ１１、およびＨＲ７を介してＳＶ５に情報を送信する。また、ＳＶ５は、ＨＲ７とＡＰ４を介して該ＰＳ３に情報を送信する。
【０１０５】
このように、第９の実施形態は、ＤＨＣＰサーバから割り当てられたＩＰアドレスとＰＨＳ電話番号とをＡＴ３１で変換するため、ＳＶ５はＰＳ３のＩＰアドレスやＰＳ３のＭＭＡＣ識別子を指定するだけで、ＰＳ３への送信要求をＰＨＳ網２を介してＰＳ３に送信することができる。
【０１０６】
また、第１〜第８の実施形態と同様に、ＰＳ３がＭＭＡＣのサービスエリア内にいる場合のみ、ＰＳ３内のＭＭＡＣ通信回路２１に電源電圧を供給すればよいため、ＰＳ３の消費電力を低減できる。
【０１０７】
（第１０の実施形態）
第１０の実施形態は、第９の実施形態の変形例であり、ＳＶ５からＰＳ３に宛てた情報を一時的に蓄積するＤＳ８を設けたものである。
【０１０８】
第１０の実施形態における無線通信システムも、図８や図１０と同様のブロック構成を有するため、ブロック図を省略する。
【０１０９】
図１４は第１０の実施形態の動作を示す図であり、着信通知を受けたＰＳ３が、ＭＭＡＣのサービスエリア外にいるなどでＳＶ５からの情報を受信できない場合に、ＰＳ３宛ての情報を一時的に蓄積する蓄積装置（ＤＳ）８のＩＰアドレスを、ＰＨＳ経由でＰＳ３に通知し、ＰＳ３がＭＭＡＣサービスエリア内に入った後にＤＳ８にアクセスしてＰＳ３宛ての情報を受信する場合の動作例を示している。
【０１１０】
ＰＳ３は、ＳＶ５からの通信要求をＣＳ１０を介して受信しても、自己がＭＭＡＣのサービスエリア内にいなければ、ＳＶ５からの情報の受信を行わない。ＳＶ５は、ＰＳ３への着信要求をＡＴ３１に対して行うとともに、ＰＳ３への情報をＤＳ８に一時的に蓄積する（時刻Ｔ１８１）。
【０１１１】
ＰＳ３は、ＡＰ４からのＡＰ４自身の識別子（ＩＤ）を受信すると、ＣＳ１０とＰＨＳ網２を介してＨＡＳ１１との間で制御情報のやり取りを行い（時刻Ｔ１８２〜Ｔ１９１）、最終的にＰＳ３とＤＳ８との間で通信が可能になる（時刻Ｔ１９２）。
【０１１２】
ＰＳ３は、ＤＳ８に割り当てられたＩＰアドレスを指定し、ＨＲ７を介してＤＳ８に対してＰＳ３に情報を送信するように指示する。また、ＤＳ８からの情報は、ＨＲ７とＡＰ４を介してＰＳ３に送信される。
【０１１３】
このように、第１０の実施形態は、ＳＶ５からＰＳ３に宛てた情報を一時的に蓄積するＤＳ８を設けるため、ＰＳ３がすぐにはＳＶ５からの情報を受信できない場合でも、後にＤＳ８から情報を受信することができる。また、第１〜第９の実施形態と同様に、ＰＳ３がＭＭＡＣのサービスエリア内にいる場合のみ、ＰＳ３内のＭＭＡＣ通信回路２１に電源電圧を供給すればよいため、ＰＳ３の消費電力を低減できる。
【０１１４】
（第１１の実施形態）
第１１の実施形態は、第１０の実施形態の変形例であり、ＳＶ５からＰＳ３に宛てた情報を一時的に蓄積するＤＳ８の種類やＤＳ８内の蓄積場所をＰＳ３が指定するものである。
【０１１５】
第１１の実施形態における無線通信システムも、図８や図１０と同様のブロック構成を有するため、ブロック図を省略する。
【０１１６】
図１５は第１１の実施形態の動作を示す図であり、着信通知を受けたＰＳ３がＭＭＡＣのサービスエリア外にいるなどでＳＶ５からの情報を受信できない場合の動作例を示している。
【０１１７】
ＳＶ５は、特定のＰＳ３に対する通信要求を、該ＰＳ３のＩＰアドレスを指定してＡＴ３１に送信する。ＡＴ３１は、該ＰＳ３への通信要求が生じたことを認識すると、ＭＭＡＣ網１を介してＰＳ３に情報を送信するために使用されるＰＳ３のＩＰアドレスから、ＰＨＳ網２を介してＰＳ３への通信路を確立するために使用されるＰＳ３のＰＨＳ電話番号への変換を行う。
【０１１８】
ＰＳ３は、通信要求がある旨の通知を受けても、ＭＭＡＣのサービスエリア外にいる場合は、ＳＶ５に直ちにアクセスせず、ＰＳ３宛ての情報を一時的に蓄積するＤＳ８のＩＰアドレスをＳＶ５に送信する。ＳＶ５は、ＰＳ３からの指示にしたがって、ＤＳ８に情報を蓄積する。
【０１１９】
その後、ＰＳ３は、ＭＭＡＣのサービスエリア内に入ったことを認識すると（時刻Ｔ２０４）、ＰＳ３内のＭＭＡＣ通信回路２１に電源電圧を供給してＰＨＳ網２への接続を行った後（時刻Ｔ２０５）、各種の制御信号の送受信を行う（時刻Ｔ２１０〜Ｔ２１２）。これにより、ＰＳ３とＡＰ４との間での通信が可能になる。
【０１２０】
このように、第１１の実施形態は、ＳＶ５から送信された情報を一時的に蓄積するＤＳ８の種類やＤＳ８内の蓄積場所をＰＳ３が指定するようにしたため、ＳＶ５からの情報をＰＳ３が直ちに受信できない場合でも、受信できる準備が整ったときに確実にダウンロードでき、ダウンロードを目的として何度もＭＭＡＣ網１にアクセスする必要がなくなる。また、第１〜第１０の実施形態と同様に、ＰＳ３がＭＭＡＣのサービスエリア内にいる場合のみ、ＰＳ３内のＭＭＡＣ通信回路２１に電源電圧を供給すればよいため、ＰＳ３の消費電力を低減できる。
【０１２１】
（第１２の実施形態）
次に、上述した第１〜第１１の実施形態のいずれかで使用可能な無線基地局（ＡＰ４）の詳細構成について説明する。
【０１２２】
図１６はＭＭＡＣ網１に接続されるＡＰ４の詳細構成を示すブロック図である。図示のように、ＡＰ４は、ＭＭＡＣ網１を介して情報を送受信する送受信部４１と、ＰＳ３に対して少なくとも高速に情報を送信可能な無線送信部４２と、ＰＳ３がアクセスすべきＨＡＳ１１をＰＳ３に通知するアクセス先通知部４３とを有する。
【０１２３】
図１７は図１６のＡＰ４の処理動作を示すフローチャートであり、ＰＳ３がハイブリッド方式でＭＭＡＣ網１に接続する場合のＡＰ４の処理動作を示している。以下、このフローチャートに基づいて図１６のＡＰ４の処理動作を説明する。
【０１２４】
まず、ＰＳ３がアクセスすべきＨＡＳ１１をＰＨＳの無線基地局を介してＰＳ３に通知する（ステップＳ１）。具体的には、ＡＰ４はＨＡＳ１１の識別子、例えばＨＡＳ１１の電話番号をＰＳ３に通知する。
【０１２５】
ＰＳ３は、ＡＰ４から通知されたＨＡＳ１１にアクセスした後、ハイブリッド方式での接続要求を行う。このとき、ＰＳ３は、アクセス可能なＡＰ４も通知する。
【０１２６】
ＡＰ４は、ＰＳ３からの接続要求を、ＨＡＳ１１とＨＲ７を介して受信する（ステップＳ２）。次にＡＰ４は、接続要求に対する応答をＰＳ３に送信する（ステップＳ３）。このとき、ＰＳ３とＡＰ４との間で送受信すべき他の制御信号も同様に送受信することができる。
【０１２７】
以上の手続きにより、ＰＳ３はＭＭＡＣ網１を介してハイブリッド方式で通信を行うことができる。また、ＰＳ３がアクセスすべきＨＡＳ１１が変更になった場合は、ＡＰ４がＰＳ３に新たなＨＡＳ１１の識別子を送信することにより、ＰＳ３は適切なＨＡＳ１１にアクセスすることができる。
【０１２８】
なお、ＰＳ３がＨＡＳ１１以外の装置を介してＭＭＡＣ網１にアクセスする場合は、その装置の識別子をＡＰ４からＰＳ３に通知すればよい。例えば、ＡＰ４がＰＨＳ網２にも接続されている場合は、ＡＰ４自身の識別子（例えば、電話番号）をＰＳ３に通知すればよい。
【０１２９】
【発明の効果】
以上詳細に説明したように、本発明によれば、情報提供手段から移動端末への情報送信要求を、第２の無線通信ネットワークを介して移動端末に送信するようにしたため、第１の無線通信ネットワークと移動端末との間は、ダウンリンク通信路だけを設ければよく、システム構成を簡略化できる。
【図面の簡単な説明】
【図１】本発明に係る無線通信システムの第１の実施形態のブロック図。
【図２】ＰＳの内部構成を示す図。
【図３】第１の実施形態の動作を示す図。
【図４】第２の実施形態の動作を示す図。
【図５】第３の実施形態の動作を示す図。
【図６】第４の実施形態の動作を示す図。
【図７】第５の実施形態の動作を示す図。
【図８】本発明に係る無線通信システムの第６の実施形態のブロック図。
【図９】第６の実施形態の動作を示す図。
【図１０】本発明に係る無線通信システムの第７の実施形態のブロック図。
【図１１】第７の実施形態の動作を示す図。
【図１２】第８の実施形態の動作を示す図。
【図１３】第９の実施形態の動作を示す図。
【図１４】第１０の実施形態の動作を示す図。
【図１５】第１１の実施形態の動作を示す図。
【図１６】ＭＭＡＣ網に接続されるＡＰの詳細構成を示すブロック図。
【図１７】図１６のＡＰの処理動作を示すフローチャート。
【図１８】この種の従来の無線通信システムの概略構成を示す図。
【符号の説明】
１    ＭＭＡＣ網
２    ＰＨＳ網
３    移動端末（ＰＳ）
４    無線基地局（ＡＰ）
５    サーバ（ＳＶ）
６    ＦＡ
７    ＨＲ
８    蓄積装置（ＤＳ）
９    ＨＡ
１０    無線基地局（ＣＳ）
１１    ＨＡＳ
２１    ＭＭＡＣ通信回路
２２    ＰＨＳ通信回路
２３    通信制御部
２４    位置登録処理部
３１    アドレス変換器（ＡＴ）
３２    位置レジスタ（ＬＲ）
４１    送受信部
４２    無線送信部
４３    アクセス先通知部
【図１】
0004155551.tif 000002
【図２】
0004155551.tif 000003
【図３】
0004155551.tif 000004
【図４】
0004155551.tif 000005
【図５】
0004155551.tif 000006
【図６】
0004155551.tif 000007
【図７】
0004155551.tif 000008
【図８】
0004155551.tif 000009
【図９】
0004155551.tif 000010
【図１０】
0004155551.tif 000011
【図１１】
0004155551.tif 000012
【図１２】
0004155551.tif 000013
【図１３】
0004155551.tif 000014
【図１４】
0004155551.tif 000015
【図１５】
0004155551.tif 000016
【図１６】
0004155551.tif 000017
【図１７】
0004155551.tif 000018
【図１８】
0004155551.tif 000019